(57)【要約】【課題】インターネットを介したジュエリーショッピングにおいて、購入予定者がジュエリーを購入する際、WEBページ上でマウス等を利用して自由自在にジュエリーデザインや宝石デザインを組み合わせ、自分好みのジュエリーを作成、購入できるようにする。【解決手段】インターネットを介したジュエリーショッピングにおいて、購入予定者がジュエリーを購入する際、あらかじめWEBページ上に用意されたジュエリーの基本となる枠デザインと宝石デザイン、素材、宝石種類や品質をWEBページ上でマウス等を利用して自由自在に組み合わせ、おおよその完成品ジュエリーデザインと価格を確認することができ、その完成品ジュエリーデザインをインターネットを介してインターネットジュエリーショップ側に送信することによって、購入予定者がデザインしたものと同じ完成品ジュエリーを購入できるジュエリーインターネットショップ自在カスタマイズシステムを提供する。【選択図】なし【特許請求の範囲】
【請求項１】
インターネットを介したジュエリーのショッピングにおいて、購入予定者がジュエリーを購入する際、あらかじめWEBページ上に用意されたジュエリーの基本となる枠デザインと宝石デザインを、WEBページ上でマウス等を利用して自由自在に組み合わせ、なおかつ素材、宝石の種類、宝石の質等を選択し、おおよその完成品ジュエリーデザインを作成し確認することができるとともに、価格も確認でき、作成したジュエリーデザインのパソコン等の機器への保存ができ、その完成品ジュエリーデザインをインターネットを介してインターネットジュエリーショップ側に送信することによって、購入予定者がデザインしたものと同じ完成品ジュエリーを購入できるジュエリーインターネットショップ自在カスタマイズシステム。
【請求項２】
請求項1に記載のジュエリーインターネットショップ自在カスタマイズシステムのジュエリーデザインが二次元表記である、請求項1に記載のジュエリーインターネットショップ自在カスタマイズシステム。
【請求項３】
請求項１に記載のジュエリーインターネットショップ自在カスタマイズシステムのデザインが、３次元表記である請求項１に記載のジュエリーインターネットショップ自在カスタマイズシステム。
【発明の詳細な説明】
【技術分野】
【０００１】
この発明はインターネットを介したジュエリーのショッピングにおいて、購入予定者がジュエリーを購入する際、あらかじめWEBページ上に用意されたジュエリーの基本となるデザインと、宝石デザインや部品等をを自由自在に組み合わせ、なおかつ素材、宝石の種類、宝石の質、宝石の色等を選択し、おおよその完成品デザインを作成することによって、価格も確認ができるとともに、完成品デザインを購入予定者のパソコン等に画像等の形式で保存し、その完成品デザインをインターネットを介してショップ側に送信することによって、ジュエリーを購入できるジュエリーインターネットショップ自在カスタマイズシステムに関するものである。
【背景技術】
【０００２】
ジュエリーをインターネットで購入しようとすると、あらかじめデザインや宝石の質が決められたものを購入するか、ごくわずかなカスタマイズができるにとどまっている。  
【０００３】
したがって、多様な購入予定者の満足度を現状のインターネットジュエリーショップでは高めることはできないでいる。
【０００４】
また、多様な購入者の多くは自分好みの製品を望んでいるため、こういった購入者の要求に応えるためには、販売者はより多くの製品を用意しておく必要があり負担が大きかった。
【先行技術文献】
【非特許文献】
【０００５】
楽天などのインターネットショップ
【発明の概要】
【発明が解決しようとする課題】
【０００６】
この発明は前述した問題点を解決するものであり、購入予定者も満足でき、販売者の製品種類負担なども軽減できる、ジュエリーのインターネットショップを提供するものである。
【課題を解決するための手段】
【０００７】
以上の課題を解決するため、購入予定者がWEBページ上から自分の好みのジュエリーデザインを作成することができるように、少なくとも数百種類の、基本となるリングやペンダント、イヤリング等のジュエリー枠デザインと、数十種類の宝石デザイン、その他の部品などをWEBページに用意しておく。
【０００８】
この発明では、購入予定者が自分好みのジュエリーデザインをWEBページ上で自由自在に作成し、素材、宝石の種類、宝石の質を選択した後、できあがったデザインを購入者のパソコン等に保存できるとともに価格も確認でき、その画像等をインターネットを介してショップ側に送信することによって、そのデザインと同じ完成品ジュエリーをショップ側が製作し購入予定者に提供することができる。
【０００９】
この発明では、購入予定者がどのようなジュエリーのデザインでもWEBページ上で作成し、ショップに製作リクエストすることができる。
【００１０】
この発明では、購入予定者がジュエリーの宝石の種類や品質を自由にショップ側にリクエストすることができる。
【００１１】
この発明では、購入予定者がジュエリーの素材を自由にショップ側にリクエストすることができる。
【００１２】
この発明では、購入予定者が自身で作成したジュエリーデザインを画像等として、パソコン等に保存できる。
【００１３】
この発明では、購入予定者が自身で作成したジュエリーデザインの製品価格が、わかるようになっている。
【発明の効果】
【００１４】
この発明によれば、購入予定者が自分の好みで自由自在にジュエリーデザインを作成した後、ショップ側に送信すると購入予定者が作成したジュエリーデザインと同じ完成品ジュエリーを購入できるので、オリジナルジュエリーという観点から購入予定者の満足度を高めることができる。
【発明を実施するための形態】
【００１５】
この発明のジュエリーのインターネットショップでは、購入予定者があらかじめWEBページに用意されている、基本となるジュエリーデザインの枠をまず最初に選択し、その後に宝石デザインを必要数量選択し、WEBページ上でマウス等を使用しながら、宝石デザインを自由自在に複数個配置することができる。
【００１６】
購入予定者は自分の好みで作成したジュエリーデザインと素材、宝石、宝石の種類等を決定して価格を確認し、ショップ側に送信すると、購入予定者が作成したジュエリーデザインを元に、ショップ側が完成品ジュエリーとして製作して購入予定者に提供する。
【００１７】
［実施例１］
この発明のジュエリーのインターネットショップは、一般的なインターネットジュエリーショップと同じように多くの商品が陳列している。
【００１８】
しかし、購入者予定者が自分好みのオリジナルデザインのジュエリーが欲しい場合、WEBページ上の特定ボタンを押すと、リングやペンダント、またはブレスレットなどの基本となる枠デザインが現れる。
【００１９】
購入者予定者は、その画面で自分の欲しいジュエリーデザインを選択すると、自由自在に宝石などが配置できる画面へと移行する。
【００２０】
購入予定者は前記で選択したジュエリーデザインの基本の枠に、好みの大きさの宝石を選択しマウス等を利用して自由自在に複数個配置することができる。
【００２１】
購入予定者は自分好みのジュエリーデザインが出来上がったら、素材や宝石の種類、宝石の品質などを選択し宝石が配置されたジュエリーデザインが完成するとともに価格も確認できる。
【００２２】
購入予定者は自身で作成したジュエリーデザインを画像等として、パソコンなどの機器に保存することもできる。
【００２３】
購入予定者は完成した自分好みのジュエリーデザインデータをインターネットを介してショップ側に送信し、ショップ側からはそれを受領した旨の返信を受け取れる。
【００２４】
前記のジュエリーデザインをインターネットを介して受け取ったインターネットジュエリーショップは、そのデザインを基に完成品ジュエリーを製作して購入予定者に販売する。
【産業上の利用可能性】
【００２５】
この発明のジュエリーのインターネットショップは、購入予定者が自分の欲しいジュエリーデザインを、WEBページ上でジュエリーデザインと宝石デザイン等をマウス等を使用して自由自在に組み合わせて自分好みのジュエリーを注文、購入することができるので、購入予定者の満足度は高い。